(57)【特許請求の範囲】
【請求項１】
内外壁板の上下端を上下端板で接続して内外壁板間に空間を介在し、
下端板に注水口とその密閉栓を設け、かつ該下端板には水の滴下口を設けて水槽を形成し、
下端板の外周に沿って設けた下向突起の外面に雄螺旋条を設け、該雄螺旋条と水受皿の内面に設けた雌螺旋条とを螺合し、
水受皿の上面に上記下向突起の下端縁を上記雌雄螺旋条の締付螺合によって密着させ、
その状態において上記滴下口の下端開口部と水受皿の上面との間に水位保持間隙を介在させてなる花器。
【請求項２】
水受皿の上面に代り、該上面に形成した円形突起の側面に密着させる請求項１記載の花器。
【発明の詳細な説明】
【０００１】
【発明の属する技術分野】
本発明は生花又は切花用の花瓶等の花器に関するものである。
【０００２】
【従来の技術】
寒い時期にハウス内で栽培された夏場の植物（花類）は、花器の水を深く水位を高くしてやらないと萎れ易いという傾向がある（図４（ロ）図）。これは夏咲く花が水をよく吸うからであり、花と水面との差を少なくして冬場に夏花を楽しむことができる。
【０００３】
これは気温が低いと夏花は茎を通して水揚げが困難であるという理由によるものである。
【０００４】
これに対し菊などのように冬場に咲く花は花器の水位が浅くても水揚げが可能であり、花の寿命は永く保たれる（図４（イ）図）。
【０００５】
この原理を利用した花器（特許第２８５７６０５号）では内外２重筒のドーナツ形上端閉鎖板に開閉栓を設け、該栓を開閉して内外２重筒間に水を充填した。
【０００６】
そのため開閉栓から空気が進入し、下端閉鎖板に形成した注水口から水が流出し、下端閉鎖板の下方に水受皿を設け、水受皿の上端と外筒の下端とを一体に接続する必要があった。
【０００７】
図４（イ）（ロ）図に示す従来の上記花器は夏花や冬花を四季を通じて観賞するには良いが水受皿部分に雑菌が増殖し易く、洗浄し難く見掛けが悪くなり、異臭を生じ易い。
【０００８】
そこで上端閉鎖板に開閉栓を設けず、下端閉鎖板にこれを設けることによって内外筒空間内への空気の進入を防止し、かつ水受皿を外筒の下端に着脱自在に嵌合して水受皿の洗浄を容易に行い得るように形成し、内筒の上部まで水位を上げて夏花を内筒に挿しこれを観賞するように形成し、冬花は水受皿の底面中央部に吸水スポンジを配置するように考案した（特開平９−１６８４６３号）。
【０００９】
しかし、外筒の下端と水受皿の上端との間は単に嵌合状態であるため互いに分離し易く水位を水受皿の上端上方に上げると水圧が掛って水受皿と外筒下端との間から漏水し、夏花用花器としては使い物にならないという欠陥があった。
【００１０】
【発明が解決しようとする課題】
本発明は内外筒間水槽の水を滴下口から水受皿内に順調に滴下し、水受皿内に低水位を安全に保持して冬花の切花に利用し易く、かつ内筒内空間に水位を上昇させて夏花の切花に適応させ得るばかりでなく、外筒と水受皿との水密を充分に行い漏水のおそれがなく、かつ外筒と水受皿とを容易に分離して洗浄し易く水受皿を清潔に保持することを目的とする。
【００１１】
【課題を解決するための手段】
上記の目的を達成するため本発明は
第１に内外壁板の上下端を上下端板で接続して内外壁板間に空間を介在し、下端板に注水口とその密閉栓を設け、かつ該下端板には水の滴下口を設けて水槽を形成し、下端板の外周に沿って設けた下向突起の外面に雄螺旋条を設け、該雄螺旋条と水受皿の内面に設けた雌螺旋条とを螺合し、水受皿の上面に上記下向突起の下端縁を上記雌雄螺旋条の締付螺合によって密着させ、その状態において上記滴下口の下端開口部と水受皿の上面との間に水位保持間隙を介在させてなる花器、
第２に水受皿の上面に代り、該上面に形成した円形突起の側面に密着させる上記第１発明記載の花器、
によって構成される。
【００１２】
【発明の実施の形態】
筒状の内外壁板１，２の上下端を揃え、該上下端をドーナツ形上下端板３，４で接続密封して内外壁板１，２間に筒状空間ｓを介在させる。
【００１３】
そして下端板４には水の滴下口７を突設し、これに短チューブ７’を嵌合し、該チューブ７’の下端を斜断開口する。又この下端板４には上記空間ｓ内への注水口５を突設し、該注水口５に密閉栓６を開閉自在に設け、該栓６を外して注水口５から上記空間ｓに水を注入充満させて筒形水槽８を形成する。
【００１４】
又上記ドーナツ形下端板４の外周に沿って短円筒形下向突起９を設け、その外面に緩傾斜２重雄螺旋条１０，１０を設け、該突起９の下方に配置した水受皿１２の内側面に上記雄螺旋条１０，１０に螺合する緩傾斜２重雌螺旋条１１，１１を設け、上記雌雄螺旋１０，１０及び１１，１１を螺合させる。
【００１５】
上記雌雄螺旋１０，１０及び１１，１１を互いに螺合し締付けることによって水受皿１２の上面１２’に下向突起９の下端縁９’を密着させることができ、密着によって止水することができる。
【００１６】
そして上記止水状態において上記滴下口７の下端開口部と水受皿１２の上面１２’との間に水位保持間隙ｔを介在させることができる。
【００１７】
又上記密着止水は、水受皿１２の上面１２’と上記下向突起９の下端縁９’との密着に代り、上記上面１２’の外周に沿って形成した上向円形突起１３の傾斜側面に上記下端縁９’を密着させることによって止水することができ、これらの密着止水によって内壁板１の内部に上昇させた高水位面１４の水圧に耐えて水受皿１２と下向突起９の下端縁９’との漏水は阻止される。
【００１８】
図４（イ）図に示す菊などの冬花１５は水受皿１２内に保持される低水位面１４’下に茎の切口を沈めて該冬花１５を内壁板１内に挿して生花とする。
【００１９】
又図４（ロ）図に示すように夏花１６は内壁板１内に上昇させた高水位面１４下に茎の切口を水受皿１２まで沈めて夏花１６を生けるものである。
【００２０】
水受皿１２の上面１２’又は円形突起１３の側面は中心線の回りに正逆回動させることによって下向突起９の下端縁９’に密着又は分離し、さらに水受皿１２を上記水槽８から分解することができ、該水受皿１２や水槽８の下端部を清掃することができるし、水槽８の上端から空気が内外壁板１，２間に進入するおそれがなく滴下口７からの水滴の滴下を安全に行うことができる。
【００２１】
尚図中１７は水槽８の上端に形成された真空部である。
【００２２】
【発明の効果】
本発明は上述のように構成したので夏花を冬期に、冬花を夏期に生けて比較的長期間生花をもたせることができる。
【００２３】
又上記高水位にいても水受皿と下向突起との間から水が漏れるおそれがなく安全に生けることができる。
【００２４】
又水受皿を水槽から分離し易くかつ水受皿や水槽の下部を清掃し易く清潔に保持し得る効果がある。
【図面の簡単な説明】
【図１】（イ）図は本発明の花器を示す縦断正面図である。
（ロ）図は水受皿と水槽下端部との螺合部の拡大縦断面図である。
【図２】水槽と水受皿との分解斜視図である。
【図３】水槽の一部切欠上下反転斜視図である。
【図４】（イ）（ロ）図は従来の花器の縦断面図である。
【符号の説明】
１      内壁板
２      外壁板
３      上端板
４      下端板
ｓ      空間
５      注水口
６      密閉栓
７      滴下口
８      水槽
９      下向突起
９’    下端縁
１０      雄螺旋条
１１      雌螺旋条
１２      水受皿
１２’    上面
ｔ      水位保持間隙
１３      円形突起
【図１】
0003710746.tif 000002
【図２】
0003710746.tif 000003
【図３】
0003710746.tif 000004
【図４】
0003710746.tif 000005